(57)【要約】【課題】容易に形成することができる断熱型枠及び断熱型枠を用いたコンクリート構造物の構築方法を提供する。【解決手段】内部にコンクリートが充填される第１の紙製型枠２１と、第１の紙製型枠２１の外側に所定間隔を空けて設けられた第２の紙製型枠２２と、第１の紙製型枠２１と第２の紙製型枠２２との間に充填された断熱材２４とからなる断熱型枠２０である。第１の紙製型枠２１と第２の紙製型枠２２との間に断熱材２４を充填することで、構築するコンクリート構造物１０の形状に合わせて断熱型枠２０を形成し、コンクリート構造物１０を断熱養生することができる。【選択図】図１
2007205054.tif 000002
【特許請求の範囲】
【請求項１】
内部にコンクリートが充填される第１の紙製型枠と、
第１の紙製型枠の外側に所定間隔を空けて設けられた第２の紙製型枠と、
第１の紙製型枠と第２の紙製型枠との間に充填された断熱材とからなることを特徴とする断熱型枠。
【請求項２】
内部にコンクリートを充填する第１の紙製型枠を設け、
第１の紙製型枠の外側に所定間隔を空けて第２の紙製型枠を設け、
第１の紙製型枠と第２の紙製型枠との間に断熱材を充填するとともに、第１の紙製型枠の内部にコンクリートを充填することを特徴とするコンクリート構造物の構築方法。
【発明の詳細な説明】
【技術分野】
【０００１】
本発明は、断熱型枠及びコンクリート構造物の構築方法に関する。
【背景技術】
【０００２】
コンクリートの硬化はセメントの水和反応によってもたらされ、セメントの水和反応は養生温度が高いほど早いため、気温が低い場合には保温に注意する必要がある。このような場合にコンクリートを保温しながら養生するために、板状の断熱材を用いた断熱型枠が用いられている（例えば、特許文献１参照）。
【０００３】
ところで、近年、コンクリートの型枠材として、硬質紙製の型枠が用いられている（例えば、特許文献２参照）。紙製型枠は一般的なコンクリート工事で使用される木製合板型枠と比べても同程度の強度を有しながら、軽量であり、丸めたり、折り曲げたりしやすく、切断加工も容易で施工性に優れている。
【特許文献１】特開２００４−２３８９９５号公報
【特許文献２】特開２００５−２４８５１７号公報
【発明の開示】
【発明が解決しようとする課題】
【０００４】
従来の断熱型枠では、例えば円筒形状の柱等の鉄筋コンクリート構造物を構築するためには、その都度、断熱材を柱に合わせた曲面形状に成形する必要がある。
【０００５】
本発明の課題は、容易に形成することができる断熱型枠及び断熱型枠を用いたコンクリート構造物の構築方法を提供することである。
【課題を解決するための手段】
【０００６】
以上の課題を解決するため、請求項１に記載の発明は、断熱型枠であって、内部にコンクリートが充填される第１の紙製型枠と、第１の紙製型枠の外側に所定間隔を空けて設けられた第２の紙製型枠と、第１の紙製型枠と第２の紙製型枠との間に充填された断熱材とからなることを特徴とする。
【０００７】
請求項２に記載の発明は、コンクリート構造物の構築方法であって、内部にコンクリートを充填する第１の紙製型枠を設け、第１の紙製型枠の外側に所定間隔を空けて第２の紙製型枠を設け、第１の紙製型枠と第２の紙製型枠との間に断熱材を充填するとともに、第１の紙製型枠の内部にコンクリートを充填することを特徴とする。
【発明の効果】
【０００８】
本発明によれば、内部にコンクリートが充填される第１の紙製型枠と、その外側に所定間隔を空けて設けられた第２の紙製型枠との間に断熱材を充填することで、構築するコンクリート構造物の形状に合わせて断熱型枠を形成し、コンクリート構造物を断熱養生することができる。
【発明を実施するための最良の形態】
【０００９】
以下、図を参照して本発明の実施の形態を詳細に説明する。
図１は本発明の断熱型枠２０の内部に鉄筋コンクリートからなるコンクリート柱１０を構築した状態を示す鉛直断面図である。コンクリート柱１０はスラブコンクリート１の上に設けられており、下端部がスラブコンクリート１に埋設された鉄筋１１と、鉄筋１１よりも外側に設けられた断熱型枠２０内に充填されたコンクリート１２とからなる。
【００１０】
この断熱型枠２０は、内側型枠２１（第１の紙製型枠）と、外側型枠２２（第２の紙製型枠）と、スペーサー２３と、断熱材２４とからなる。
内側型枠２１は、構築するコンクリート柱１０の形状に合わせた形状となっている。外側型枠２２は、内側型枠２１の外側面から均等な間隔を空けて配置されている。内側型枠２１及び外側型枠２２には硬質紙製の型枠を用いることができる。紙製型枠は軽量であり、丸めたり、折り曲げたりしやすいので、構築するコンクリート柱１０の形状に合わせて容易に加工することができる。
【００１１】
スペーサー２３は内側型枠２１と外側型枠２２との間に設けられ、内側型枠２１と外側型枠２２との間隔を均一に保つ働きをする。スペーサー２３としては、紙製型枠と同じ硬質紙や、合板等の木材、その他の任意の材料を用いることができる。
【００１２】
断熱材２４は内側型枠２１と外側型枠２２との間に充填されている。断熱材２４としては、例えば発泡ポリウレタン等の発泡系の断熱材２４料を用いることができる。なお、内側型枠２１と外側型枠２２との間隔がスペーサー２３により均一に保たれているので、断熱材２４は均一な厚さに形成される。
【００１３】
次に、断熱型枠２０を使用したコンクリート柱１０の構築方法について説明する。
まず、スラブコンクリート１の上部に、下端部がスラブコンクリート１に埋設された鉄筋１１を囲むように内側型枠２１、外側型枠２２を配置する。そして、スペーサー２３により、内側型枠２１と外側型枠２２との間隔を均一に保つ。
【００１４】
次に、内側型枠２１と外側型枠２２との間に断熱材２４となる発泡ポリウレタン等の発泡系の断熱材料を充填する。断熱材料の固化により、断熱型枠２０が完成する。
その後、内側型枠２１の内側にコンクリート１２を充填し、断熱養生する。
【００１５】
コンクリート１２が固化したら、断熱型枠２０を切断し、撤去する。以上により、コンクリート柱１０が完成する。
【００１６】
このように、本実施の形態によれば、内側型枠２１と外側型枠２２との間に断熱材料を充填することで、断熱材２４を構築するコンクリート柱１０に合った形状に形成することができ、形成した断熱型枠２０を用いてコンクリート柱１０を断熱養生することができる。
【００１７】
以上の実施形態においては、内側型枠２１と外側型枠２２との間に断熱材料を充填してから内側型枠２１の内側にコンクリート１２を充填したが、内側型枠２１の内側にコンクリート１２を充填してから内側型枠２１と外側型枠２２との間に断熱材料を充填してもよい。
【００１８】
なお、紙製型枠は水や火気に弱いため、湿潤養生や給熱養生には不向きである。しかし、断熱養生では、コンクリートの水和熱を利用することにより、加熱をせずに初期強度発現の増進を図ることができ、乾燥収縮ひび割れの防止効果が期待できる。このため、水や火気を使用し紙製型枠へ負荷をかける湿潤養生や給熱養生を行わずにすむ。
【実施例１】
【００１９】
直径１ｍ、高さ１ｍの円筒形の紙製型枠の外周に１０ｃｍのスペーサーを介して直径１．２ｍ、高さ１ｍの円筒形の紙製型枠を配置した。そして、２つの円筒形の紙製型枠の隙間に二液混合型の発泡ポリウレタンを充填し、厚さ１０ｃｍの断熱層を形成した。その後、内側の紙製型枠の内部にコンクリートを打設し、コンクリートの中心部と外周部の温度測定を行った。平均気温は１２℃であった。
【００２０】
＜結果＞
断熱材は硬化時に発熱を伴うが、薄肉状に形成するため、紙製型枠への影響はなかった。また、断熱材の膨張圧による紙製型枠の変形もなかった。
中心部と外周部との温度差は最大で４℃以内に収まった。このように、断熱養生の難しい紙製型枠を用いた場合でも、コンクリート側面の断熱養生効果が得られた。さらに断熱材を厚く巻くことで、より高い断熱養生効果が得られると考えられる。
【図面の簡単な説明】
【００２１】
【図１】本発明の断熱型枠２０の内部にコンクリート柱１０を構築した状態を示す鉛直断面図である。
【符号の説明】
【００２２】
１０   コンクリート柱（コンクリート構造物）
２１   内側型枠（第１の紙製型枠）
２２   外側型枠（第２の紙製型枠）
２４   断熱材
【図１】
2007205054.tif 000003